(57)【特許請求の範囲】
【請求項１】
登り梁（４１）の下端部を柱（５１）の上端面に据え付けるための連結構造であって、
前記登り梁（４１）下端部の直立面（４７）に接触させる終端具（１１乃至１３）と、
該終端具（１１乃至１３）に取り付けられ且つ前記登り梁（４１）の内部を貫くテンションロッド（２１乃至２３）と、
前記登り梁（４１）と前記柱（５１）の間に挟み込む台座具（３１又は３２）と、
を用い、
前記台座具（３１又は３２）は、前記登り梁（４１）と前記柱（５１）の境界面に挟み込む上板（３４）と、該柱（５１）の内部に差し込む軸体（３５）と、を有し、
該上板（３４）から前記登り梁（４１）に向けて釘類（３８）を差し込むことで、前記台座具（３１又は３２）を該登り梁（４１）に取り付け、
前記登り梁（４１）には、前記テンションロッド（２１乃至２３）を差し込むため、その下斜面（４３）と前記直立面（４７）を結ぶ貫通孔（４６）を設け、
前記柱（５１）の上端面には、前記軸体（３５）を差し込むための軸穴（５５）を設け、
前記テンションロッド（２１乃至２３）の端部を螺合等で前記終端具（１１乃至１３）に固着させると共に、前記台座具（３１又は３２）を介し、前記登り梁（４１）を前記柱（５１）に据え付けることを特徴とする連結構造。
【発明の詳細な説明】
【技術分野】
【０００１】
本発明は、木造建築において、登り梁の下端部を柱の上端部に据え付けると共に、テンションロッドを取り付ける機能も有する連結構造に関する。
【背景技術】
【０００２】
木造建築はこれまで、住宅を始めとする比較的小規模な建物を中心に普及してきた。しかし近年は、集成材の製造技術の向上により、大断面の部材が無理なく入手できるようになり、さらに集成材を鉄骨と同様に組み上げる「木質ラーメン構造」などが開発され、公共施設や商業施設の木造化も実現している。このような大規模な木造建築では、屋根構造を簡素化するため、束やタルキなどの細い部材を組み上げることなく、大断面の登り梁を敷設し、必要な強度を確保することがある。
【０００３】
登り梁に関する技術の例として、後記特許文献が挙げられ、特許文献１では、屋根裏に広い空間を確保できる木造アーチ構造と、それに用いる連結金具が開示されている。この木造アーチ構造は、左右の登り梁が合掌形状に対向する小屋組みにおいて、対向する登り梁の頂上同士を連結金具で結んだものであり、連結金具は、左右の登り梁の下面を跨ぐように配置する。さらに連結金具は、固着手段を用い、登り梁と強固に一体化させる。そのため登り梁同士は、高い剛性で連結され、中間部を下支えする柱や束が不要になり、広大な屋根裏空間を確保できる。なお、登り梁の傾斜角度は様々であるため、連結金具を分割構造として、その屈曲角を調整可能とする手法も開示されている。
【０００４】
特許文献２では、住宅の屋根部分を支持するトラス構造が開示されており、軽量化や組み立て作業の簡素化を主要な目的としている。このトラス構造についても、左右の登り梁の下端部同士を結ぶ水平梁や、登り梁と水平梁を垂直に結ぶ登り梁束や、登り梁と水平梁を斜方向に結ぶ斜材を用いる点は、従来と同様である。ただし住宅用途における荷重条件を精査し、登り梁束と斜材の一部には、圧縮荷重が作用しないことに着目し、これらに丸鋼を切り出したブレース（テンションロッド）を用いたことを特徴とする。ブレースは、鋼材に比べて軽量で、しかもトラス構造への取り付けや張力の調整も容易で、組み立て作業の簡素化も実現する。
【先行技術文献】
【特許文献】
【０００５】
【特許文献１】特開２０００−２５７２０２号公報
【特許文献２】特開平６−３０６９９１号公報
【発明の概要】
【発明が解決しようとする課題】
【０００６】
公共施設や商業施設のほか、畜産施設や倉庫などは、建築コストの削減要求が厳しく、その骨格には鋼材を用いることが多い。しかし近年は、森林資源の有効活用や室内環境の改善などの観点から、このような建物についても、木造化が模索されている。この木造化に際しては、室内空間や強度を確保した上で、部材の使用量や施工時の手間を削減し、建築コストを抑制する必要がある。そのため建物上部の小屋組みは、左右の登り梁を合掌形状に対向させ、登り梁の下端部同士をテンションロッドで引き寄せる方式を導入することがある。
【０００７】
このテンションロッドが脱落すると、建物の破損を引き起こす恐れがある。したがってテンションロッドは、登り梁から脱落しないよう、強固に取り付ける必要がある。またテンションロッドには常時張力が作用するため、その取り付け箇所では、陥没や伸びなどの変形を生じやすく、長年の間にテンションロッドが緩み、小屋組みの剛性が低下する恐れもある。そのほか建築コスト削減のため、登り梁の据え付けは、無理なく実施できることが好ましい。
【０００８】
本発明はこうした実情を基に開発されたもので、登り梁の下端部を柱の上端部に据え付けると共に、テンションロッドの端部を強固に取り付ける機能も有し、さらに施工性にも優れた連結構造の提供を目的としている。
【課題を解決するための手段】
【０００９】
前記の課題を解決するための請求項１記載の発明は、登り梁の下端部を柱の上端面に据え付けるための連結構造であって、前記登り梁下端部の直立面に接触させる終端具と、該終端具に取り付けられ且つ前記登り梁の内部を貫くテンションロッドと、前記登り梁と前記柱の間に挟み込む台座具と、を用い、前記台座具は、前記登り梁と前記柱の境界面に挟み込む上板と、該柱の内部に差し込む軸体と、を有し、該上板から前記登り梁に向けて釘類を差し込むことで、前記台座具を該登り梁に取り付け、前記登り梁には、前記テンションロッドを差し込むため、その下斜面と前記直立面を結ぶ貫通孔を設け、前記柱の上端面には、前記軸体を差し込むための軸穴を設け、前記テンションロッドの端部を螺合等で前記終端具に固着させると共に、前記台座具を介し、前記登り梁を前記柱に据え付けることを特徴とする連結構造である。
【００１０】
本発明は、登り梁の下端部を柱の上端部に据え付けると共に、テンションロッドを取り付けるためのもので、登り梁は、屋根の傾斜に沿って配置され、屋根全体を支えるほか、積雪などによる荷重を受け止め、建物の骨格の一部を構成する。なお本発明における登り梁は、左右一対を合掌形状に配置し、さらに登り梁の倒伏を防止するため、対向する登り梁の下端部同士をテンションロッドで引き寄せる。また登り梁の下端部は、柱の上端面に載置する。そのほか登り梁と柱は、木材（集成材を含む）であることを前提とする。
【００１１】
終端具は、登り梁に接触する板状の部品で、テンションロッドに作用する張力を登り梁に伝達する役割を有する。したがって終端具の取り付け位置は、登り梁の直立面に限定され、双方を面状に接触させる。ここで直立面とは、登り梁の下端面、または登り梁の下端面を切削した部位の奥面であり、いずれも登り梁を所定の傾斜で据え付けた際、垂直方向に展開するものとする。なお通常は、登り梁の下端面をそのまま直立面とするが、終端具などの突出が許容できない場合、前記のように、登り梁の下端面を部分的に切削し、その奥面を直立面とする。
【００１２】
テンションロッドは、一対の登り梁の下方に配置し、対向する登り梁の下端部同士を引き寄せ、その倒伏を防ぐ。さらにテンションロッドの端部は、何らかの手段で終端具に取り付ける。そのため登り梁には、水平方向に伸びる貫通孔を加工し、テンションロッドを終端具に到達させる。なお貫通孔は、登り梁の下斜面と直立面を結ぶ。またテンションロッドは、荷重条件などで複数本とすることがあり、その際は、終端具や貫通孔も複数となる。
【００１３】
テンションロッドは、螺合や係合などで終端具に固着させる。螺合の場合、テンションロッドの端部にオネジを形成し、終端具にメネジを形成することで双方が一体化し、終端具を介し、テンションロッドに作用する張力を登り梁で受け止めることができる。また係合の場合、テンションロッドの端部にツバを形成し、対する終端具には、このツバが通過不能な孔を形成し、ツバを終端具に接触させることで、同様に張力を受け止めることができる。
【００１４】
テンションロッドは、登り梁の下端部同士を途切れることなく一本で結ぶことも可能だが、通常は中央付近で分断し、そこにターンバックルを組み込み、張力を調整できるようにする。また終端具に作用する荷重を緩和するため、登り梁の貫通孔を通る区間のみ、テンションロッドを複数本とし、終端具も複数個とすることもある。その場合、貫通孔付近でテンションロッド同士を接続するため、別途に部品を用いる。
【００１５】
台座具は、登り梁の下端部を柱の上端部に据え付けるためのもので、上板と軸体で構成される。本発明では、登り梁の下端部に貫通孔を加工するため、登り梁の据え付け構造を自在に選択することは不可能で、別途に台座具が必要となる。なお台座具の上板は、柱と登り梁の境界面に挟み込む板状で、上板の下方から登り梁に向けて釘類を差し込み、台座具を登り梁に固定する。そのため上板には、釘類を差し込むための孔を設ける。この孔は、釘類が貫通孔に到達しないよう、左右に振り分けて配置する。
【００１６】
台座具の軸体は、上板から真下に伸び、柱に加工した軸穴に差し込む。さらに柱の側面から軸体に向けてドリフトピンを差し込むことで、台座具は柱から離脱不能に固定される。このドリフトピンを差し込むため、柱と軸体のいずれにも、あらかじめ孔を設けておく。なお実際の施工では、台座具を登り梁に取り付けた後、現地での登り梁を吊り上げ、軸体を柱の軸穴に差し込み、登り梁を柱の上部に据え付ける。軸体を軸穴に差し込んだ時点で、登り梁は安定して据え付けられ、直ちに次の作業を始めることができる。
【００１７】
このように、登り梁の下端面周辺に終端具を配置するほか、登り梁に貫通孔を設け、テンションロッドを終端具に到達させることで、テンションロッドに作用する張力は、終端具を介し、直接的に登り梁の下端面周辺を押圧する。そのため終端具は、実質的に登り梁と一体化し、テンションロッドの脱落といった事態を生じにくい。また、終端具が登り梁を押圧する荷重の方向は、概ね登り梁の軸線に沿うため、登り梁表面の陥没といった経年変形を生じにくく、テンションロッドの緩みによる小屋組みの剛性低下を抑制できる。
【００１８】
そのほか、登り梁の下端部周辺に終端具を配置し、これを用いてテンションロッドを取り付けることで、左右の登り梁は、自立的に合掌形状を維持でき、登り梁と柱の連結に際し、曲げモーメントの伝達を考慮する必要がない。そのため、登り梁の据え付けは、台座具の軸体を柱の軸穴に差し込むといった単純な方式とすることができる。
【発明の効果】
【００１９】
請求項１記載の発明のように、登り梁を柱に据え付けると共に、テンションロッドを取り付けるための連結構造として、登り梁の下端面周辺に接触させる終端具と、登り梁と柱の間に挟み込む台座具を用い、終端具を介し、テンションロッドを登り梁に取り付けることで、テンションロッドに作用する張力は、登り梁の下端面周辺で受け止められる。そのため、テンションロッドが強固に取り付けられ、脱落といった事態を生じにくい。しかも、終端具が登り梁を押圧する荷重の方向は、概ね登り梁の軸線に沿うため、登り梁表面の陥没といった経年変形を生じにくく、テンションロッドの緩みによる小屋組みの剛性低下を抑制できる。
【００２０】
そのほか、登り梁の下端部周辺に終端具を配置し、これを用いてテンションロッドを取り付けることで、左右の登り梁は、自立的に合掌形状を維持でき、登り梁と柱の連結に際し、曲げモーメントの伝達を考慮する必要がない。また、あらかじめ台座具を登り梁に取り付けておくことで、登り梁の据え付けは、台座具の軸体を柱の軸穴に差し込むといった単純な作業となり、しかも差し込みを終えると、登り梁は安定して据え付けられ、直ちに次の作業に着手でき、施工性に優れている。なお台座具は、登り梁の内部にテンションロッドが通ることを考慮した形状で、台座具から登り梁に向けては、釘類だけが入り込む。
【図面の簡単な説明】
【００２１】
【図１】本発明による連結構造の具体例を示す斜視図で、登り梁の下端部を柱の上端面に据え付けると共に、登り梁にテンションロッドを取り付けることを想定している。
【図２】図１の登り梁を柱に据え付ける過程を示す斜視図である。
【図３】図１の連結構造を用い、建物の骨格を築き上げた状態を示す斜視図である。
【図４】登り梁の内部に二本のテンションロッドを差し込む場合を示す斜視図で、終端具を上下に二個配置し、登り梁に加工する貫通孔も上下二列としてある。
【図５】図４の登り梁にテンションロッドなどを組み込んだ状態を示す斜視図で、登り梁については、内部構造を示すため、縦断面で描いてある。
【図６】図４の各要素を組み上げた最終状態と、その登り梁を柱に据え付けた施工状態を示す斜視図である。
【図７】図４の形態を一部変更し、テンションロッドの一端にツバを設け、これを終端具で引き止める構成を示す斜視図である。
【図８】図７の登り梁を柱に据え付け、さらにテンションロッドなどを取り付けた最終状態を示す斜視図で、登り梁については、内部構造を示すため、縦断面で描いてある。
【発明を実施するための形態】
【００２２】
図１は、本発明による連結構造の具体例を示し、登り梁４１の下端部を柱５１の上端面に据え付けると共に、登り梁４１にテンションロッド２１を取り付けることを想定している。登り梁４１は、建物の屋根を下支えする骨格材だが、本発明においては、建物の頂上部を基準として左右対称に配置することを前提とする。ただし図１では、一方の登り梁４１の下端部だけを描いてある。またテンションロッド２１は、左右の登り梁４１の下端部同士を引き寄せ、登り梁４１の倒伏を防ぐ。そのほか柱５１は、地盤から直立し、登り梁４１を架空に据え付ける役割を担う。なお柱５１と登り梁４１のいずれも、木材（集成材を含む）である。
【００２３】
登り梁４１を所定の傾斜で据え付けた場合において、登り梁４１の各側面のうち、下を向く方を下斜面４３と称するものとする。また下斜面４３の延長で、柱５１の上端面に載る範囲は、水平に削り出してあり、この範囲を最下面４５と称するものとする。そのほか登り梁４１の下端面は、垂直方向に削り出してあるが、ここではその大半を切削し、段差４８を設けてある。段差４８の奥面は垂直に展開しており、この面を直立面４７と称するものとする。
【００２４】
テンションロッド２１は、登り梁４１の内部を通り抜ける必要がある。そのため、登り梁４１の下斜面４３と直立面４７を結ぶ貫通孔４６を加工してある。貫通孔４６は水平方向に伸び、テンションロッド２１が無理なく通過できる内径としてある。そしてテンションロッド２１の端部を受け止めるため、終端具１１を用いる。
【００２５】
終端具１１は金属板で、ネジ釘１８などで直立面４７に取り付ける。なお図１の終端具１１は円形だが、その形状は自在である。またネジ釘１８を差し込むため、終端具１１の上下二箇所には、差し孔１５を設けてある。差し孔１５は、ネジ釘１８の頭部を埋め込むため、その一端側を円錐状に仕上げてある。そのほか終端具１１の中心には、メネジ１７を設け、テンションロッド２１の端部に設けたオネジ２７と螺合することができる。
【００２６】
台座具３１は、登り梁４１を柱５１に据え付けるための金属部品で、上板３４と軸体３５を接合した形状である。そのうち上板３４は、登り梁４１の最下面４５に接触する平面状で、その外形は自在に決めて構わないが、図１では円形としている。そして柱５１の上端面には、上板３４を収容する丸溝５４を加工してある。また軸体３５は、上板３４の中心から真下に伸び、柱５１の上端面から伸びる軸穴５５に差し込む。したがって台座具３１全体が部材内部に埋め込まれ、結露を生じにくくなる。
【００２７】
台座具３１は、釘類３８（図１ではネジ釘を使用）を用いて登り梁４１に取り付ける。そのため上板３４には、下から釘類３８を差し込めるよう、通し孔３７を設けてある。なお釘類３８が貫通孔４６に到達しないよう、通し孔３７は、貫通孔４６を避けて左右に振り分けて配置する必要があり、図１では、上板３４の外縁付近に二箇所設けてある。そして釘類３８の頭部を収容するため、通し孔３７の下部は、内径を拡大してある。そのほか、上板３４に差し込む釘類３８は、終端具１１を取り付けるネジ釘１８との接触も避ける必要があり、図１の終端具１１の差し孔１５は、中心のメネジ１７の上下に配置してある。
【００２８】
台座具３１を登り梁４１に取り付け、その軸体３５を柱５１の軸穴５５に差し込むと、登り梁４１は柱５１に据え付けられた状態となる。さらに登り梁４１の浮き上がりを防止するため、柱５１の側面から軸体３５に向けてドリフトピン５７を打ち込む。そのため、柱５１の側面には側孔５６を加工すると共に、軸体３５の側周面には横孔３６を設ける。なお側孔５６は、ドリフトピン５７の抜けを防止するため、緩みのない内径とする。当然ながら、ドリフトピン５７の使用数や打ち込み方向などは、必要に応じて自在に決めて構わない。
【００２９】
テンションロッド２１端部のオネジ２７は、終端具１１のメネジ１７と螺合するが、それだけではテンションロッド２１の回転を止めることが難しく、時間の経過によって緩みが生じる恐れもある。そこで、終端具１１から飛び出した部分にナット２８を螺合させ、緩みを防止する。そのため登り梁４１の段差４８は、テンションロッド２１端部の飛び出しも考慮し、削り出す深さを決める。
【００３０】
図２は、図１の登り梁４１を柱５１に据え付ける過程を示す。登り梁４１の段差４８奥の直立面４７には、ネジ釘１８を用いて終端具１１を取り付ける。その際、終端具１１のメネジ１７は、貫通孔４６と同心に揃うよう、位置を調整する。併せて登り梁４１の最下面４５には、釘類３８で台座具３１を取り付ける。なお終端具１１と台座具３１の取り付けは、製材段階で行うことができる。そのほか、登り梁４１を貫く貫通孔４６と、終端具１１に差し込むネジ釘１８と、台座具３１に差し込む釘類３８は、相互に接触することなく配置してある。
【００３１】
登り梁４１を吊り上げ、その台座具３１の軸体３５を柱５１の軸穴５５に差し込むと、図２の右下のように、登り梁４１が柱５１に据え付けられ、さらに柱５１の側孔５６から軸体３５に向けてドリフトピン５７を打ち込むと、柱５１と登り梁４１が完全に一体化する。また、貫通孔４６にテンションロッド２１を差し込み、そのオネジ２７を終端具１１のメネジ１７に螺合させていくと、テンションロッド２１の端部が終端具１１から突出し、そこにナット２８を螺合させて締め付けると、テンションロッド２１が緩みなく登り梁４１に固定される。
【００３２】
登り梁４１が柱５１に据え付けられると、登り梁４１の下端面（段差４８の上の垂直面）は、柱５１の側面と同一面に揃い、しかもテンションロッド２１や終端具１１は、段差４８の内部に収容され、外部に突出しない。そのため、柱５１と登り梁４１を覆い隠す外壁材などを取り付ける際、これらとの干渉を考慮する必要がなく、作業性や気密性が向上する。なお段差４８の形態は自在で、図２のような大規模な切り欠きではなく、終端具１１が隙間なく入り込む程度の座グリとし、欠損範囲を最小限に留めることもできる。
【００３３】
図３は、図１の連結構造を用い、建物の骨格を築き上げた状態を示す。建物の骨格を築き上げるには、まず、二本の登り梁４１のそれぞれの一端部に段差４８を加工し、そこに、先の図２に描いたように、終端具１１と台座具３１を取り付ける。次に、二本の登り梁４１を合掌形状に配置し、その頂上部分を何らかの手段で連結するほか、左右の終端具１１にテンションロッド２１を取り付け、登り梁４１の下端部同士を引き寄せる。なおテンションロッド２１の中央には、ターンバックル６２を組み込み、テンションロッド２１に張力を与える。
【００３４】
図３上方に描くように、二本の登り梁４１を組み上げ、その下端部同士をテンションロッド２１で引き寄せると、登り梁４１に作用する下向きの荷重は、テンションロッド２１で受け止められ、登り梁４１の倒伏を防止する。またテンションロッド２１の張力を高めることで、登り梁４１がアーチ状に変形し、剛性が高まる。そのほか、終端具１１やテンションロッド２１など、本発明を構成する各部品は、登り梁４１の左右両側面から突出することなく配置される。そのため一対の登り梁４１を二組以上密着させ、強度を向上することもできる。
【００３５】
図３上方に描く合掌形状の登り梁４１は、単独でも高い剛性を有し、その両端の台座具３１を柱５１に差し込むだけで、架空に据え付けることができる。また終端具１１は、登り梁４１を押圧する形態となるため、テンションロッド２１の張力で終端具１１が脱落することは困難で、安全性に優れる。そのほか終端具１１によって生じる圧縮荷重の方向は、概ね登り梁４１の繊維方向に沿うため、表面の陥没といった経年変形を生じにくく、骨格の緩みも生じにくい。
【００３６】
施工時は、組み上げられた一対の登り梁４１を吊り上げ、対向する柱５１を跨ぐように配置する。その後、柱５１の側面にドリフトピン５７を打ち込むと、登り梁４１は架空に据え付けられる。なお骨格全体の強度を確保するため、奥行き方向に隣接する柱５１や登り梁４１は、桁材６１や棟木６０で連結する。そのほか登り梁４１が比較的短い場合、ターンバックル６２を用いることなく、一対の登り梁４１を一本のテンションロッド２１で結ぶこともある。
【００３７】
図３では、対向する登り梁４１の下部にテンションロッド２１を取り付けている。しかし、テンションロッド２１をこの位置ではなく、対向する柱５１同士を結ぶように取り付け、柱５１の側面で登り梁４１の下端面を押圧する構成も、技術的には可能である。ただしその場合、登り梁４１と接触する柱５１の側面は、繊維方向との兼ね合いで荷重による陥没を生じやすく、登り梁４１の下端面が柱５１の側面に食い込んでいき、骨格に緩みを生じる恐れがある。対して本発明では、このような問題を生じにくい。
【００３８】
図４は、登り梁４１の内部に二本のテンションロッド２２を差し込む場合を示しており、終端具１２を上下に二個配置し、登り梁４１に加工する貫通孔４６も上下二列としてある。なお図４では、登り梁４１の下端面をそのまま直立面４７としている。さらにテンションロッド２２の端部の突出を防ぐため、終端具１２は、プレート１４と筒体１６を接合した構成としてある。プレート１４は単純な円形で、直立面４７に接触し、荷重の伝達を担う。また筒体１６は、貫通孔４６に入り込むほか、その内部にメネジ１７を設けてあり、テンションロッド２２のオネジ２７と螺合する。そのほか、プレート１４の上下二箇所には、差し孔１５を設けてあり、そこにネジ釘１８を差し込み、終端具１２を登り梁４１に取り付ける。
【００３９】
テンションロッド２２は、登り梁４１の貫通孔４６を通るだけの延長で、上下に二本並んでいるが、これらの端部には中継片２５を配置し、そこで一本の長尺テンションロッド２４に接続させている。中継片２５は細長い板状で、その上下にテンションロッド２２を差し込み、中央に長尺テンションロッド２４を差し込む。そのため、中継片２５の上下三箇所には丸孔２６を設けてあり、これを挟むようにナット２８を配置し、テンションロッド２２および長尺テンションロッド２４を脱落不能に固定する。なおテンションロッド２２については、中継片２５の反対側も、緩み防止のため、筒体１６と接触するようにナット２８を組み込んである。
【００４０】
台座具３２は、上板３４と軸体３５を接合したものだが、上板３４については、柱５１の横断面と同じ大きさとしてあり、柱５１や登り梁４１に埋め込まれることはない。そして釘類３８を差し込む通し孔３７は、貫通孔４６を避けるように配置してある。また軸体３５については、柱５１に加工した軸穴５５に差し込み、さらに柱５１の側面からドリフトピン５７を打ち込み、台座具３２を柱５１に固定する。なお図４のように、終端具１２を複数用いることで、登り梁４１に作用する応力が緩和され、信頼性が一段と向上する。
【００４１】
図５は、図４の登り梁４１にテンションロッド２２などを組み込んだ状態を示す。ただし登り梁４１については、内部構造を示すため、縦断面で描いてある。テンションロッド２２は上下二本で、それぞれが登り梁４１に加工した貫通孔４６に差し込まれ、その一端は終端具１２の筒体１６に螺合し、他端は中継片２５に固定されている。なおテンションロッド２２の両端には、抜け止めや緩み止めのナット２８を螺合させてあり、貫通孔４６は、これを考慮した内径としてある。またテンションロッド２２は、中継片２５の上下両端付近に固定され、その間には、遠方に伸びる長尺テンションロッド２４が固定されている。
【００４２】
二個の終端具１２は上下に並び、登り梁４１の直立面４７の大半を覆い、応力の緩和を実現している。また台座具３２は、釘類３８を用い、登り梁４１の最下面４５に取り付ける。なお施工時、現地での作業量を削減するため、台座具３２は製材段階で登り梁４１に取り付けておく。同様に、終端具１２とテンションロッド２２と中継片２５についても、早い段階で登り梁４１に取り付けることができる。
【００４３】
図６は、図４の各要素を組み上げた最終状態と、その登り梁４１を柱５１に据え付けた施工状態を示す。柱５１と登り梁４１は、台座具３２を介して連結する。そのため、柱５１の側面から軸体３５に向けてドリフトピン５７を打ち込むほか、上板３４から登り梁４１に向けて釘類３８を差し込んである。なお柱５１と登り梁４１の間には、上板３４が挟み込まれ、双方が直に接触することはない。
【００４４】
登り梁４１の下斜面４３側には、二本のテンションロッド２２が水平に突出し、その先部に中継片２５を配置し、ここで一本の長尺テンションロッド２４を接続させている。長尺テンションロッド２４は、図６右下の「施工状態」に示すように、左右の登り梁４１の下端部付近から中央に向けて伸び、ターンバックル６２に到達している。したがってターンバックル６２を回転させることで、左右の終端具１２を引き寄せ、登り梁４１に圧縮荷重を作用させる。なお図６では、テンションロッド２２が終端具１２から突出することはなく、外壁材などの取り付けを妨げない。
【００４５】
図７は、図４の形態を一部変更し、テンションロッド２３の一端にツバ２９を設け、これを終端具１３で引き止める構成としたもので、終端具１３には、テンションロッド２３を差し込むための中央孔１９を設けてある。中央孔１９は、ツバ２９を収容できるよう、途中で内径を変えてあり、テンションロッド２３に作用する張力を終端具１３に伝達する。なおテンションロッド２３は、図４と同様に上下二本で、終端具１３も上下に二個配置してある。また、二本のテンションロッド２３の先部には、中継片２５を取り付け、そこで長尺テンションロッド２４を接続させている点も、図４と同様である。
【００４６】
図８は、図７の登り梁４１を柱５１に据え付け、さらにテンションロッド２３などを取り付けた最終状態を示す。ただし登り梁４１については、内部構造を示すため、縦断面で描いてある。テンションロッド２３のツバ２９は、終端具１３の中央孔１９に埋め込まれ、終端具１３から突出することはない。また台座具３１は、その全体が柱５１や登り梁４１に埋め込まれ、結露を生じないほか、外観も向上する。そのほか登り梁４１の貫通孔４６は、ナット２８の収容を考慮する必要がなく、必要最低限の内径としてある。
【００４７】
本発明は、登り梁４１の下端面などの直立面４７に終端具１１、１２、１３を取り付け、さらに登り梁４１の直立面４７から下斜面４３に到達する貫通孔４６を加工し、そこにテンションロッド２１、２２、２３を差し込み、テンションロッド２１、２２、２３の張力で登り梁４１の直立面４７を押圧することを特徴としている。したがって本発明は、各図で描いた構成に限定される訳ではなく、実現可能な範囲で各要素を自在に組み合わせることができる。また台座具３１、３２は、貫通孔４６を考慮し、釘類３８だけで登り梁４１に取り付ける必要があるが、その詳細形状は自在に決めて構わない。
【符号の説明】
【００４８】
１１  終端具
１２  終端具（プレートと筒体で構成）
１３  終端具（中央孔を有するもの）
１４  プレート
１５  差し孔
１６  筒体
１７  メネジ
１８  ネジ釘
１９  中央孔
２１  テンションロッド
２２  テンションロッド（短尺・両端オネジ）
２３  テンションロッド（短尺・一端ツバ）
２４  長尺テンションロッド
２５  中継片
２６  丸孔
２７  オネジ
２８  ナット
２９  ツバ
３１  台座具（上板が円形）
３２  台座具（上板が正方形）
３４  上板
３５  軸体
３６  横孔
３７  通し孔
３８  釘類
４１  登り梁
４３  下斜面
４５  最下面
４６  貫通孔
４７  直立面
４８  段差
５１  柱
５４  丸溝
５５  軸穴
５６  側孔
５７  ドリフトピン
６０  棟木
６１  桁材
６２  ターンバックル
【図１】
0006321599.tif 000002
【図２】
0006321599.tif 000003
【図３】
0006321599.tif 000004
【図４】
0006321599.tif 000005
【図５】
0006321599.tif 000006
【図６】
0006321599.tif 000007
【図７】
0006321599.tif 000008
【図８】
0006321599.tif 000009